(57)【要約】【課題】  被検者の体内水分量を測定する体内水分計において、ユーザの利便性を確保しつつ、ユーザがセンサ部に触れることなく、センサ部全体の汚れを拭き取ること。【解決手段】  体内水分計であって、センサ部を被検者の体表面に接触させることで生体中の水分に関するデータを測定し、前記センサ部により測定されたデータに基づいて、前記被検者の体内水分量を算出する本体と、前記センサ部を覆うように前記本体に装着されるカバー部材と、を備え、前記カバー部材は、前記装着した場合に前記センサ部の前記被検者の体表面に接触させる面と当接し、前記センサ部の該面上を摺動するように動作可能な拭き取り部材と、前記カバー部材が装着されているとき、前記カバー部材の外側からの操作により前記拭き取り部材を前記摺動させる動作装置と、を有することを特徴とする。【選択図】  図２
2013172770.tif 000002
【特許請求の範囲】
【請求項１】
体内水分計であって、
センサ部を被検者の体表面に接触させることで生体中の水分に関するデータを測定し、前記センサ部により測定されたデータに基づいて、前記被検者の体内水分量を算出する本体と、
前記センサ部を覆うように前記本体に装着されるカバー部材と、
を備え、
前記カバー部材は、
前記装着した場合に前記センサ部の前記被検者の体表面に接触させる面と当接し、前記センサ部の該面上を摺動するように動作可能な拭き取り部材と、
前記カバー部材が装着されているとき、前記カバー部材の外側からの操作により前記拭き取り部材を前記摺動させる動作装置と、
を有することを特徴とする体内水分計。
【請求項２】
前記カバー部材は、前記操作をする部分に開口部を有し、
前記動作装置は、少なくとも一部が前記開口部から前記カバー部材の外側に露出した回転部材を含み
前記回転部材の前記露出した部分の操作に対応して前記拭き取り部材が前記摺動することを特徴とする請求項１に記載の体内水分計。
【請求項３】
前記拭き取り部材は、前記回転部材に固定され、前記回転部材は、前記カバー部材に回動自在に取り付けられることを特徴とする請求項２に記載の体内水分計。
【請求項４】
前記動作装置は、互いに平行に軸支された第１ローラと第２ローラとを含み、
前記拭き取り部材は、前記第１ローラと前記第２ローラとの間に懸架されるベルト状の部材であり、
前記第１ローラと前記回転部材は、前記開口部を通して連結される
ことを特徴とする請求項２に記載の体内水分計。
【請求項５】
前記動作装置は、前記操作により、前記拭き取り部材を前記摺動させるように駆動するモータを備えることを特徴とする請求項１に記載の体内水分計。
【請求項６】
前記センサ部は、被検者の体表面に接触させる面に対して略直交する方向にスライド可能であり、
前記本体は、前記センサ部を該方向で前記本体の外側に向けて付勢するセンサ付勢部材を備え、
前記本体に前記カバー部材を装着した場合、前記付勢部材によって、前記センサ部が前記拭き取り部に押圧されることを特徴とする請求項１乃至５の何れか１項に記載の体内水分計。
【請求項７】
前記拭き取り部材は、前記本体を装着させる方向にスライド可能であり、
前記カバー部材は、前記装着した場合に、前記拭き取り部材を該方向で前記センサ部の方向に付勢する拭き取り部付勢部材を備えることを特徴とする請求項１乃至６の何れか１項に記載の体内水分計。
【請求項８】
前記カバー部材は、第１の位置と第２の位置との間で相対的に移動可能に結合された第１部材及び第２部材を有し、
前記第１部材は、前記カバー部材を前記本体に装着した場合に、前記カバー部材を前記本体に固定するための固定部を有し、
前記第２部材は、前記拭き取り部材と、前記動作装置とを有し、
前記第１及び第２部材が前記第１の位置にある場合、前記拭き取り部材が着脱可能であり、前記第１及び第２部材が前記第２の位置にある場合、前記カバー部材を前記本体に装着すると、前記拭き取り部材が前記センサ部と当接することを特徴とする請求項１乃至７の何れか１項に記載の体内水分計。
【請求項９】
前記第１部材と前記第２部材とはヒンジを介して前記第１の位置と前記第２の位置との間で回動可能に結合されることを特徴とする請求項８に記載の体内水分計。
【請求項１０】
前記カバー部材は、互いに結合及び分離が可能な第１部材及び第２部材を有し、
前記第１部材は、前記カバー部材を前記本体に装着した場合に、前記カバー部材を前記本体に固定するための固定部を有し、
前記第２部材は、前記拭き取り部材と、前記動作装置とを有し、
前記第１部材と前記第２部材とが分離されている場合、前記拭き取り部材が着脱可能であり、前記第１部材と前記第２部材とが結合されている場合、前記カバー部材を前記本体に装着すると、前記拭き取り部材が前記センサ部と当接することを特徴とする請求項１乃至７の何れか１項に記載の体内水分計。
【請求項１１】
センサ部を被検者の体表面に接触させることで生体中の水分に関するデータを測定し、前記センサ部により測定されたデータに基づいて、前記被検者の体内水分量を算出する体内水分計に、前記センサ部を覆うように装着されるセンサ部保護用カバーであって、
前記装着した場合に前記センサ部の前記被検者の体表面に接触させる面と当接し、前記センサ部の該面上を摺動するように動作可能な拭き取り部材と、
前記カバーが装着されているとき、前記カバーの外側からの操作により前記拭き取り部材を前記摺動させる動作装置と、
を備えることを特徴とするカバー。
【発明の詳細な説明】
【技術分野】
【０００１】
本発明は、被検者の生体の水分を測定する体内水分計及びそのセンサ部保護用カバーに関するものである。
【背景技術】
【０００２】
被検者の生体の水分を測定することは重要である。生体における脱水症状は、生体中の水分が減少する病態であり、日常しばしば発現し、発汗や体温上昇により多くの水分が体内から体外に排出される運動時や気温の高い時に多く発現する症状である。特に、高齢者においては、生体の水分保持能力自体が低下していることが多いために、高齢者は一般健常者と比較して脱水症状を起こし易いと言われている。
【０００３】
また、同じような脱水症状は、乳幼児でも見られる。乳幼児はもともと水分量が多いが、自ら水分補給を訴えることができず、保護者が気づくのが遅れることがあるからである。
【０００４】
通常、生体中の水分が体重の３％以上失われた時点で体温調整の障害が起こると言われており、体温調整の障害は体温の上昇を引き起こす。そして、体温の上昇は更なる生体中の水分の減少を引き起こすという悪循環に陥り、遂には熱中症と称される病態に至ることとなる。熱中症には、熱痙攣、熱疲労、熱射病等の病態があり、時には全身の臓器障害が起こることもある。このため、脱水症状を的確に把握することで、熱中症に至る危険を未然に回避できるようにすることが望まれる。
【０００５】
脱水症状を把握する、いわゆる体内水分計としては、例えば、両手でハンドルを保持するような装置で人体インピータンスを測定し、その測定結果から体内水分量を算出するものが知られている（特許文献１）。
【先行技術文献】
【特許文献】
【０００６】
【特許文献１】特開平１１−３１８８４５号公報
【発明の概要】
【発明が解決しようとする課題】
【０００７】
当該特許文献１に記載の体内水分計の場合、被検者自身が両手でハンドルを把持しなければならず、被検者以外の他人が被検者の体内水分量を容易に測定することができないという問題がある。すなわち、当該特許文献１に記載された測定面位を前提とする体内水分計の場合、乳幼児や意識障害に陥った被検者の体内水分量を測定することは困難である。
【０００８】
このようなことから、被検者以外の他人が容易に測定可能な体内水分計が求められている。そして、このような要求に適した体内水分計の測定面位として、例えば、被検者の腋下の皮膚が挙げられる。腋下の場合、密閉した空間をつくりだすことができ、外気の影響を受けにくいという利点があり、体内水分量を高い精度で測定することができるからである。
【０００９】
しかしながら、腋下はもともと発汗量の多い部位であり、このような部位に直接接触させて体内水分量を測定する体内水分計の場合、衛生面への配慮が不可欠であり、皮膚への接触部分、特にセンサ部は常に清潔に保たれている必要がある。また、皮膚表面の老廃物や軟膏といった塗布薬などがセンサ部に付着すると、衛生面だけではなく、測定精度にも影響が生じる可能性がある。
【００１０】
センサ部の汚れを除去する方法として、体内水分計を薬液に浸漬する、センサ部を布などで拭く等がある。前者の場合は、薬液及び容器の準備や扱いという点で、ユーザの利便性が損なわれる。後者の場合、センサ部の汚れが全体にわたって拭き取られていない可能性や、拭き取りの際にユーザがセンサ部に触れてしまう可能性がある。
【００１１】
本発明は、上記課題に鑑みてなされたものであり、被検者の体内水分量を測定する体内水分計において、ユーザの利便性を確保しつつ、ユーザがセンサ部に触れることなく、センサ部全体の汚れを拭き取ることを目的とする。
【課題を解決するための手段】
【００１２】
上記の目的を達成するために、本発明に係る体内水分計は以下のような構成を備える。即ち、
体内水分計であって、
センサ部を被検者の体表面に接触させることで生体中の水分に関するデータを測定し、前記センサ部により測定されたデータに基づいて、前記被検者の体内水分量を算出する本体と、
前記センサ部を覆うように前記本体に装着されるカバー部材と、
を備え、
前記カバー部材は、
前記装着した場合に前記センサ部の前記被検者の体表面に接触させる面と当接し、前記センサ部の該面上を摺動するように動作可能な拭き取り部材と、
前記カバー部材が装着されているとき、前記カバー部材の外側からの操作により前記拭き取り部材を前記摺動させる動作装置と、
を有することを特徴とする。
【発明の効果】
【００１３】
本発明によれば、被検者の体内水分量を測定する体内水分計において、ユーザの利便性を確保しつつ、ユーザがセンサ部に触れることなく、センサ部全体の汚れを拭き取ることができる。
【図面の簡単な説明】
【００１４】
【図１】本発明の一実施形態にかかる体内水分計の外観構成を示す図である。
【図２】本発明の一実施形態にかかる体内水分計のカバー部材の内部構成を示す図である。
【図３】図２のカバー部材の変形例を示す図である。
【図４】体内水分計の機能構成を示す図である。
【図５】体内水分計の測定回路を説明するための図である。
【図６】体内水分計の動作を説明するための図である。
【図７】測定情報のデータ構成を示す図である。
【図８Ａ】本発明の他の実施形態にかかる体内水分計のカバー部材を示す図である。
【図８Ｂ】本発明の他の実施形態にかかる体内水分計のカバー部材を示す図である。
【図８Ｃ】本発明の他の実施形態にかかる体内水分計のカバー部材を示す図である。
【発明を実施するための形態】
【００１５】
以下、本発明の各実施形態について図面を参照しながら説明する。
【００１６】
＜１．体内水分計の外観構成＞
図１は、本実施形態に係る体内水分計１の外観構成の一例を示す図である。体内水分計１は、本体１００とカバー部材２００とを備え、本体１００は後方部１１０と挿入部１２０とを有する。後方部１１０は被検者の体表面である腋窩の皮膚にセンサ部を接触させ、センサ部において供給した電気信号に応じた物理量を検出することで被検者の体内の水分量を検出する。本実施形態に係る体内水分計１では、当該物理量（生体中の水分に関するデータ）として被検者の静電容量を測定することにより、腋窩の皮膚の湿り具合を検出し、体内の水分量を算出する。なお、体内水分量を算出するために検出する物理量は静電容量に限られるものではなく、例えば、定電圧もしくは定電流を被検者に供給して測定されるインピーダンスであってもよい。
【００１７】
図１に示すように、体内水分計１は本体１００とカバー部材２００とを備える。本体１００は、上面１１４、下面１１５、側面１１６、１１７がそれぞれ長軸方向（不図示）に略平行に形成されており、全体として、直線状に形成されている。後方部１１０の筐体表面には、各種ユーザインターフェースが配置されるとともに、筐体内部には体内水分量を算出するための電子回路が収納される。
【００１８】
図１の例では、ユーザインターフェースとして、電源スイッチ１１１及び表示部１１２が示されている。電源スイッチ１１１は、後方部１１０の後端面１１３の凹部に配されている。このように凹部に電源スイッチ１１１を配する構成とすることで、電源スイッチ１１１の誤操作を防ぐことができる。なお、電源スイッチ１１１がオンされると後述の電源部４１１（図４）から体内水分計１の各部への電源供給が開始され、体内水分計１は動作状態となる。
【００１９】
表示部１１２は、後方部１１０の側面１１７上において、長軸方向のやや前方側に配されている。これは、体内水分計１を用いて被検者の体内水分量を測定するにあたり、測定者が把持領域１１８を把持した場合であっても、測定者の把持した手で表示部１１２が完全に覆われることがないようにするためである（把持した状態でも測定結果が視認できるようにするためである）。
【００２０】
表示部１１２には、今回の水分量の測定結果１３１が表示される。また、参考として前回の測定結果１３２もあわせて表示される。さらに、電池表示部１３３には、電池（図４の電源部４１１）の残量が表示される。また、無効な測定結果が得られた場合や測定エラーが検出された場合には、表示部１１２に“Ｅ”が表示され、その旨をユーザに報知する。なお、表示部１１２に表示される文字等は、後方部１１０の上面１１４側を上とし、下面１１５側を下として、表示されるものとする。
【００２１】
体内水分計１の挿入部１２０は、上面１２４及び下面１２５が曲面形状を有しており、後方部１１０に対して、全体として、下向きに緩やかに湾曲している。挿入部１２０の先端面１２２には、センサ部１２１がスライド可能に保持されている。
【００２２】
センサ部１２１は、先端面１２２に略平行な面を有するセンサヘッド１２３を有しており、センサヘッド１２３の皮膚への密着を保証する上での押圧を確保するため、センサ付勢部材として不図示のばねにより、本体１００の外側（矢印１４１ｂの方向）へ付勢されている（たとえば７０ｇｆ程度の付勢力）。そして、センサヘッド１２３が被検者の腋窩の皮膚に押し当てられると、センサ部１２１が矢印１４１ａの方向（先端面１２２と略直交する方向、すなわち先端面１２２の法線方向）に所定量（例えば１ｍｍ〜１０ｍｍ、本実施形態では４ｍｍ）スライドし、これにより測定が開始するよう構成されている（以下、矢印１４１ａの方向をスライド方向と称す）。
【００２３】
具体的には、ユーザが電源スイッチ１１１をオンして体内水分計１を動作状態とした後、センサヘッド１２３を被検者の腋窩に所定時間以上（例えば２秒以上）押し当てられたことが検知されると、体内水分量の測定が開始される。あるいは、ユーザが電源スイッチ１１１をオンして体内水分計１を動作状態とした後、センサヘッド１２３を被検者の腋窩に所定負荷（例えば２０ｇｆ〜２００ｇｆ、さらに好ましくは３０ｇｆ〜１００ｇｆ、本実施形態では７０ｇｆ）で押し当てたことが検知されると、体内水分量の測定が開始される。このような仕組みにより、測定時におけるセンサヘッド１２３の腋窩への密着の程度を一定にすることができる。
【００２４】
なお、センサヘッド１２３の被検者との接触面には、電極が敷設され、電極を覆うように保護材が設けられている。また、センサヘッド１２３の接触面は平面形状に限られず、凸状の曲面形状でもよい。そのような接触面の形状の例としては、球面（例えば半径１５ｍｍの球面）の一部とすることが挙げられる。
【００２５】
カバー部材２００は、センサ部１２１（センサヘッド１２３）を覆うように本体に装着される。装着時には、挿入口２１１に挿入部１２０を挿入させるように、センサヘッド１２３と直交する方向（矢印ａ）からカバー部材２００を本体１００にはめ込む。さらに、カバー部材２００をスライドさせて、カバー部材２００に設けられた爪２１２を挿入部１２０に設けられた凹部１２６に係合させてカバー部材２００を本体１００に固定する。さらに、カバー部材２００の開口部２２５から回転部材２２３を操作することで、センサヘッド１２３の汚れをふき取ることができる（詳細は後述する）。
【００２６】
＜２．カバー部材の構成＞
図２は、本実施形態に係る体内水分計１のカバー部材２００の内部構成を示す図である。図２（ａ）に示す通り、カバー部材２００は、ヒンジ２０１を介して開位置（第１の位置）と閉位置（第２の位置）との間で相対的に移動可能（回動可能）に結合された第１部材２１０と第２部材２２０とを有する。なお、第１部材２１０と第２部材２２０との間の開閉はヒンジによるものに限らず、第１部材２１０と第２部材２２０とを互いに結合及び分離可能な別部材としてもよい。
【００２７】
第１部材２１０は挿入部１２０の形状に対応した筒状の部材で、その内面は本体側の挿入部１２０の外面に対向し、本体１００を挿入口２１１からスライドさせて挿入時する際にガイドとなる。また、第１部材２１０は、カバー部材２００を本体１００に装着した場合に、カバー部材２００を本体１００に固定するための固定部が備えられている。本実施形態では、上記の通り固定部の一例として、挿入口２１１側に本体１００の凹部１２６と係合する爪２１２が設けられている。さらに、挿入口２１１の反対側に位置する開口部２１３側には、閉位置にあるときに、開口部２１３の縁部２１３ａと対向する第２部材２２０の縁部２２１の近傍に設けられた爪２２７と係合する凹部２１４が設けられている。
【００２８】
第２部材２２０は第１部材２１０の開口部２１３を閉じるための蓋状の部材であり、拭き取り部材２２２と、カバー部材２００の外側からの操作により拭き取り部材２２２を動作させる動作装置と、消臭剤２２６とを有する。矢印Ａから見た図である図２（ｂ）に示す通り、拭き取り部材２２２はセンサヘッド１２３よりも大きい円盤形状のカートリッジで、センサヘッド１２３と接する部分は、例えば不織布、ガーゼ等を用いる。拭き取り部材２２２は円盤形状の回転部材２２３に取り付けられる。
【００２９】
図２（ｃ）は、図２（ａ）における拭き取り部材２２２及び回転部材２２３の取り付け関係の詳細を示す図である。拭き取り部材２２２は、ヒンジ２０１側及び対向する側（爪２２７側）に、回転部材２２３側に延びる爪２２２ａが２か所設けられている。爪２２２ａを回転部材２２３に設けられたスリット２２３ａに差し込むことにより、拭き取り部材２２２が回転部材２２３に取り付けられる。爪２２２ａの回転部材２２３の裏面と当接する面２２２ｂと拭き取り部材２２２の裏面２２２ｃと間の距離は、回転部材２２３の厚さｔと同じである。これにより、拭き取り部材２２２は、回転部材２２３の面から離れないように固定される。一方、拭き取り部材２２２は、爪２２２ａが設けられたそれぞれの部分に、爪２２２ａの延びる方向と反対側に突起２２２ｄが設けられている。これにより、図２（ｄ）に示すように、突起２２２ｃを拭き取り部材２２２の中心側に押すことで、拭き取り部材２２２は変形し、爪２２２ａはスリット２２３ａから外れて拭き取り部材２２２ａは回転部材２２３から分離される。以上のことからわかるように、第１部材２１０及び第２部材２２０にあるとき、拭き取り部材２２２は着脱可能である。
【００３０】
回転部材２２３は、回転中心の近傍において、拭き取り部材２２２の取り付け面と反対側に突出した凸部２２３ｂを有し凸部の中心には、穴２２３ｃが設けられる。一方、第２部材２２０には、本体１００への装着時かつ閉位置においてセンサヘッド１２３と直交するように軸部２２４が設けられている。回転部材２２３の穴２２３ｃに軸部２２４挿入することにより、回転部材２２３は回動自在に支持される。したがって、拭き取り部材２２２は回転部材２２３の回動に合わせて動作可能である。
【００３１】
再び図２（ａ）を参照する。拭き取り部材２２２を取り付けた状態で、第１部材２１０と第２部材２２０とを閉位置とし、カバー部材２００を本体１００に挿入し、爪２１２を凹部１２６に係合させて固定した場合、拭き取り部材２２２はセンサヘッド１２３の全面に当接する。このとき、センサヘッド１２３は拭き取り部材によって押されて、図１で述べた構成により本体内部側に押し込まれる。この状態で回転部材２２３を回転させると、拭き取り部材２２２は、センサヘッド１２３と擦り合わせるように、センサヘッド１２３の面と平行な方向に回転する。すなわち、拭き取り部材２２２はセンサヘッド１２３上（被検者の体表面に接触させる面上）を摺動する。
【００３２】
図２（ｂ）に示す通り、第２部材２２０には開口部２２５が設けられており、回転部材２２３の外周部２２３ｄはこの開口部２２５を通して、第２部材の外側に露出する。これにより、ユーザは第２部材の外側から回転部材２２３を操作できる。
【００３３】
ここで、拭き取り部材２２２によりセンサヘッド１２３の汚れをふき取る操作について説明する。カバー部材２００を本体１００に装着した状態で、ユーザはカバー部材２００の外側から開口部２２５を通じて回転部材２２３を矢印Ｂの方向（逆でもよい）に回すように操作することで、この操作に対応して拭き取り部材２２２が回転する。このとき、回転部材２２３の外周部２２３ｄに凹凸を設ける、ゴムを巻く等により、操作の際のグリップ性が向上する。
【００３４】
上記構成により、薬液等に浸漬することなく、センサ部１２１（センサヘッド１２３）の汚れを拭き取ることができるため、ユーザの利便性を確保することができる。また、拭き取りの操作は回転部材２２３を通して、センサヘッド１２３全体と接する拭き取り部材を動作させることにより行われるため、ユーザがセンサ部に触れることなく、センサ部１２１（センサヘッド１２３）全体の汚れを拭き取ることができる。
【００３５】
なお、拭き取り部材２２２を回転させるための構成はこれに限らない。図３は、図２のカバー部材２００の変形例を示す図で、図２（ａ）の矢印Ａから見た図（図２（ｂ））に対応する。互いに噛み合う歯車状の回転部材２２３１、２２３２を２つ設け、一方の回転部材２２３１に拭き取り部材２２２を固定し、他方の回転部材２２３２をカバー部材２００から露出させて操作可能にする構成も考えられる。ユーザが回転部材２２３２を矢印Ｂの方向に回転させると、拭き取り部材２２２及び回転部材２２３１は、操作をする回転部材２２３２と逆の矢印Ｃの方向に回転する。
【００３６】
＜３．体内水分計の機能構成＞
図４は、本実施形態に係る体内水分計１の機能構成例を示すブロック図である。図４において、制御部４０１は、ＣＰＵ４０２、メモリ４０３を有し、ＣＰＵ４０２はメモリ４０３に格納されているプログラムを実行することにより、体内水分計１における種々の制御を実行する。
【００３７】
例えば、ＣＰＵ４０２は、図６のフローチャートにより後述する表示部１１２の表示制御、ブザー４２２やＬＥＤランプ４２３の駆動制御、体内水分量の測定（本実施形態では静電容量測定）などを実行する。メモリ４０３は、不揮発性メモリと揮発性メモリとを含み、不揮発性メモリはプログラムメモリとして、揮発性メモリはＣＰＵ４０２の作業メモリとして利用される。
【００３８】
電源部４１１は、交換が可能なバッテリー、或いは充電が可能なバッテリーを有し、体内水分計１の各部へ電源を供給する。電圧レギュレータ４１２は、制御部４０１等へ一定電圧（例えば、２．３Ｖ）を供給する。電池残量検出部４１３は、電源部４１１から供給される電圧値に基づいて、電池の残量を検出し、その検出結果を制御部４０１に通知する。制御部４０１は、電池残量検出部４１３からの電池残量検出信号に基づいて、電池表示部１３３の表示を制御する。
【００３９】
電源スイッチ１１１が押下されると、各部への電源部４１１からの電力供給が開始される。そして、制御部４０１は、電源スイッチ１１１のユーザによる押下が１秒以上継続したことを検出すると、電源部４１１からの各部への電源供給を維持させ、体内水分計１を動作状態とする。上述したように、測定スイッチ４１４は、センサ部１２１が矢印１４１ａの方向へ所定量以上押されるとオン状態になる。制御部４０１は、測定スイッチ４１４のオン状態が所定時間（例えば２秒）継続すると、水分量の測定を開始する。なお、電源部４１１の消耗を防止するために、体内水分計１が動作状態になってから５分経過しても測定開始とならない場合は、制御部４０１は自動的に体内水分計１を電源オフの状態へ移行させる。
【００４０】
測定回路４２１は、センサヘッド１２３と接続され、静電容量を測定する。図５は、測定回路４２１の構成例を示す図である。オペアンプ５０１、５０２、抵抗５０３、５０４、被検者容量５１０によりＣＲ発振回路が形成されている。被検者容量５１０によって出力信号５０５の発振周波数が変化するので、制御部４０１は、出力信号５０５の周波数を測定することにより、被検者容量５１０を算出する。なお、本実施形態のセンサヘッド１２３は、例えば、２つのくし型電極が、それぞれのくし歯が互い違いに並ぶように配置されているものとするが、これに限られるものではない。
【００４１】
図４に戻る。表示部１１２は、図１で説明したような表示を制御部４０１の制御下で行う。ブザー４２２は、センサ部１２１の押下による測定の開始や、体内水分量の測定が完了した際に鳴動し、測定の開始や完了をユーザに通知する。ＬＥＤランプ４２３もブザー４２２と同様の通知を行う。すなわち、ＬＥＤランプ４２３は、センサ部１２１の押下による測定の開始や、体内水分量の測定が完了した際に点灯し、測定の開始や完了をユーザに通知する。計時部４２４は、電源がオフの状態であっても電源部４１１からの電源供給を受けて動作し、動作状態においては時刻を制御部４０１に通知する。
【００４２】
＜４．体内水分計の動作＞
本実施形態に係る体内水分計１の動作を、図６のフローチャートを参照して説明する。
【００４３】
ステップＳ６０１では、制御部４０１が、測定開始の指示を検出する。本実施形態では、測定スイッチ４１４の状態を監視し、測定スイッチ４１４のオン状態が２秒以上継続した場合に測定開始の指示を検出したと判定する。制御部４０１は、測定開始の指示を検出すると、ステップＳ６０２において、測定回路４２１からの出力信号５０５の発振周波数を測定する。
【００４４】
ステップＳ６０３では、ステップＳ６０２において測定された出力信号５０５の発振周波数に基づいて、被検者の体内水分量を算出する。
【００４５】
ステップＳ６０４では、ステップＳ６０３で算出された体内水分量が所定の閾値を超えるか否かに基づいて被検者が脱水状態か否かを判定する。なお、この場合の閾値とは、例えば、水を１００％、空気を０％とした時の３５％に相当する値が望ましい。
【００４６】
ステップＳ６０５では、今回の測定情報をメモリ４０３に格納する。図７は、メモリ４０３に格納される測定情報のデータ構成を示す図である。図７において、測定値７０１は、今回の測定により算出された体内水分量である。判定結果７０２は、今回の測定により算出された体内水分量に対して、ステップＳ６０４において判定された、脱水状態か非脱水状態かを示す情報である。測定時刻７０３は、今回の測定において計時部４２４から通知された時刻を示す情報である。測定時刻７０３としては、例えば、ステップＳ６０２において測定を実行した時点で計時部４２４から通知されている時刻とすることができる。
【００４７】
ステップＳ６０６では、今回の測定により算出された体内水分量を表示部１１２に表示する。このとき、脱水状態か非脱水状態かの判定結果に応じた表示形態により表示を行う（例えば、脱水状態の場合には、赤色にて体内水分量を表示し、非脱水状態の場合には、青色にて体内水分量を表示する）。
【００４８】
＜５．その他の実施形態＞
図８Ａ〜Ｃは、本発明の第２乃至４実施形態にかかる体内水分計のカバー部材２００を示す図である。なお、図２及び図３に示した実施形態との共通部分及び同様の機能を有する構成については、同一の符号を付し、説明を省略する。
【００４９】
＜５−１．第２実施形態＞
本実施形態を示す図において、図８Ａ（ａ）はカバー部材２００全体の内部構造を示す図で、図２（ａ）に対応する。なお、開位置における第１部材２１０と第２部材２２０の位置関係は図２（ａ）に示したものと同様であるため、ここでは省略する。図８Ａに示される実施形態では、図２の構成に対して、拭き取り部材２２２を、本体１００に装着する方向にスライド可能とし、拭き取り部材２２２をセンサ部１２１の方向に付勢する拭き取り部付勢部材を加えている。
【００５０】
図８Ａ（ｂ）は拭き取り部材２２２と回転部材２２３の位置関係の詳細を示す図で、図２（ｃ）に対応する。回転部材２２３における拭き取り部材２２２側の面に回転軸方向に突出するピン２２３ｅが設けられており、ピン２２３ｅにばね２２８（拭き取り部付勢部材）が差し込まれるように取り付けられる。拭き取り部材２２２は、図２と同様に爪２２２ａを回転部材２２３のスリット２２３ａに差し込むことにより回転部材２２３に取り付けられる。ただし、本実施形態において、爪２２２ａの回転部材２２３の裏面と当接する面２２２ｂと拭き取り部材２２２の裏面２２２ｃと間の距離は、回転部材２２３の厚さｔと拭き取り部材２２２のスライド範囲におけるばね２２８が最大長Ｌとの和（ｔ＋Ｌ）である。これにより、拭き取り部材２２２は、回転部材２２３に対してスライド可能に取り付けられる。この状態で、ばね２２８は回転部材２２３と拭き取り部材２２２に挟まれ収縮する。なお、拭き取り部材２２２の取り外しは、図２（ｄ）に示したように、突起２２２ｄを拭き取り部材の中心側に押すことにより行う。
【００５１】
この構成により、拭き取り部材２２２は、ばね２２８の復元力により、センサ部１２１の方向に付勢されることになる。さらに、本体側のセンサ部１２１が付勢されていなくても拭き取り部材２２２を一定の圧力でセンサヘッド１２３に押しつけることができる。
【００５２】
＜５−２．第３実施形態＞
本実施形態を示す図において、図８Ｂ（ａ）はカバー部材２００全体の内部構造を示す図で、図２（ａ）に対応する。なお、開位置における第１部材２１０と第２部材２２０の位置関係は図２（ａ）に示したものと同様であるため、ここでは省略する。図８Ｂに示される実施形態では、拭き取り部材２２２は、互いに平行な軸支部材２２９ｃ、２２９ｄによって軸支された第１ローラ２２９ａと第２ローラ２２９ｂとの間に懸架されるベルト状の部材である。２つのローラ２２９ａ、２２９ｂはセンサヘッド１２３の面と平行な方向に軸支されている。そのため、これらのローラ２２９ａ、２２９ｂが回転すると、拭き取り部材２２２は、センサヘッド１２３と擦りあうように動作する。
【００５３】
図８Ｂ（ｂ）は図８Ｂ（ａ）における矢印Ａから見た図で、図２（ｂ）に対応する。第１ローラ２２９ａと回転部材２２３は、開口部２２５を通して連結される。具体的には、第１ローラ２２９ａの軸支部材２２９ｃの一端側を、開口部２２５を通して貫通させ、この一端に回転部材２２３が固定される。
【００５４】
この構成により、ユーザはカバー部材２００の外側から拭き取り部材２２２の操作をすることができる。さらに、回転による拭き取り動作では、拭き取り部材２２２の速度は回転軸からの距離によって異なるが（中心近くは遅く、中心から離れるほど速くなる）、この構成では、拭き取り部材２２２の速度は一様である。
【００５５】
＜５−３．第４実施形態＞
図８Ｃに示される実施形態では、カバー部材２００は体内水分計１を使用にない時に本体１００を立てて保管するためのスタンドとなる。本実施形態では、回転部材２２３はモータ２３０の回転軸２３１に固定され、モータ２３０を回転させることにより回転部材２２３は回転する。拭き取り部材２２２を回転部材２２３に固定するための構成は図２の実施形態と同様である。カバー部材２００の外側にはモータ２３０を動作させるためのボタン２３２が設けられており、ボタン２３２をオンに操作することで、制御部２５０からモータ２３０を駆動する信号を送信してモータ２３０は回転する。モータ２３０が回転すると、回転部材２２３に固定された拭き取り部材２２２の回転によってセンサヘッド１２３の汚れが拭き取られる。モータ２３０への電源供給は、例えば家庭用コンセント３００と接続可能な電源プラグ２４０を一端に有する電源コード２４１を通して行われる。カバー部材２００は、電磁誘導式のワイヤレス充電器を搭載することも可能で、カバー部材側に設けられたコイル２６１に通電する際に生じる磁界変化により、本体１００に設けられたコイル２６２に誘導電流を発生させる。この充電器により、体内水分計１は、密封状態で充電を行うことができる。
【００５６】
この構成により、ユーザはボタン操作でセンサヘッド１２３の拭き取りを行うことができる。さらに、手動の場合と異なり、モータ２３０を高速回転させることで、拭き取り動作をより効果的に行うことができる。
【００５７】
＜５−４．その他の実施形態＞
本発明の実施形態は、上述のものには限られず、例えば、本体１００をカバー部材２００にねじ込むことによって、カバー部材２００を装着するものも考えられる。この構造では、拭き取り部材２２２はカバー部材２００に固定されている。したがって、ねじ込んで装着する際に、カバー部材２００と一体となって拭き取り部材２２２が回転するため、本体１００にカバー部材２００を装着する際に、センサヘッド１２３の汚れの拭き取りが行われる。この構成においては回転部材２２３を省略することができ、部品点数の減少による構造の簡素化、及び低コスト化が図れる。
【００５８】
さらに、上述した実施形態を組み合わせたものも考えられる。図８Ｃのモータ２３０を備え、図８Ａのように拭き取り部材２２２はばねを介してスライド可能とする構造がその一例となる。また、図８Ｂの第１ローラ２２９ａをモータで駆動することも可能である。
【符号の説明】
【００５９】
１：体内水分計、１００：本体、１１０：後方部、１１１：電源スイッチ、１１２：表示部、１１３：後端面、１１４：上面、１１５：下面、１１６：側面、１１７：側面、１１８：把持領域、１２０：挿入部、１２１：センサ部、１２２：先端面、１２３：センサヘッド、１２４：上面、１２５：下面、１２６：凹部、２００：カバー部材、２０１：ヒンジ、２１０：第１部材、２１１：挿入口、２１２：爪、２１３：開口部、２１４：凹部、２２０：第２部材、２２１：縁部、２２２：拭き取り部材、２２３：回転部材、２２４：軸部、２２５：開口部、２２６：消臭剤、２２７：爪、２２８：ばね、２２９ａ：第１ローラ、２２９ｂ：第２ローラ、２３０：モータ、２３１：回転軸、２３２：ボタン、２４０：電源プラグ、２６１：コイル、２６２：コイル
【図１】
2013172770.tif 000003
【図２】
2013172770.tif 000004
【図３】
2013172770.tif 000005
【図４】
2013172770.tif 000006
【図５】
2013172770.tif 000007
【図６】
2013172770.tif 000008
【図７】
2013172770.tif 000009
【図８Ａ】
2013172770.tif 000010
【図８Ｂ】
2013172770.tif 000011
【図８Ｃ】
2013172770.tif 000012